(57)【要約】【課題】カゴを保持するための操作性に優れると共にカゴを安定的に保持できる手押し車を提供する。【解決手段】本発明に係る手押し車１は、左右一対の支持柱１１と、買い物カゴ５８を載置するカゴ載置部としての腰掛部１３を備えたものであって、左右の支持柱１１に亘るように設けられた第１横棒部材３２と第２横棒部材４１を有し、第１横棒部材３２に腰掛部１３に載置された買い物カゴ５８の周壁上縁部に係脱可能に係止して、買い物カゴ５８の動きを規制するカゴ係止部材１４を備えたことを特徴とするものである。【選択図】  図１
2020006898.tif 000002
【特許請求の範囲】
【請求項１】
左右一対の支持柱と、カゴを載置するカゴ載置部を備えた手押し車であって、
前記左右の支持柱に亘るように設けられた横棒部材を有し、該横棒部材に前記カゴ載置部に載置された前記カゴの周壁上縁部に係脱可能に係止して、前記カゴの動きを規制するカゴ係止部材を備えたことを特徴とする手押し車。
【請求項２】
前記カゴ係止部材は、前記横棒部材に、該横棒部材の軸回りに回動可能、または前記横棒部材に沿う方向に揺動可能に設けられ、回動又は揺動によって係脱可能になっていることを特徴とする請求項１記載の手押し車。
【請求項３】
前記カゴ係止部材は、前記横棒部材に、該横棒部材の軸回りに回動可能に設けられ、回動角度を所定の角度に保持できる角度保持機構を備えていることを特徴とする請求項１記載の手押し車。
【請求項４】
前記角度保持機構は、
一端側に凹凸歯が形成された一対の円筒状の部材からなり、前記凹凸歯が対向するように所定の隙間を離して前記横棒部材に巻き付くように設けられた円筒係止部材と、
外側面に前記凹凸歯に係止する係止爪が形成された二股部を有し、該二股部が内方に弾性的に撓むことができ、前記円筒係止部材の隙間に二股部が挿入されるように配設された二股係止部材と、
該二股係止部材の二股の間に出入り可能な挿入片部を有する固定レバーとを備えたことを特徴とする請求項３記載の手押し車。
【請求項５】
前記カゴ係止部材は、前記カゴに係止する係止部と、係止操作をする操作部とを有し、該操作部が背もたれとして機能する平面部を有することを特徴とする請求項１乃至４のいずれか一項に記載の手押し車。
【発明の詳細な説明】
【技術分野】
【０００１】
本発明は、高齢者が散歩や買い物に利用するいわゆるシルバーカーと呼ばれる手押し車に関する。
【背景技術】
【０００２】
手押し車の主な用途は散歩等を行う際の歩行の補助に用いるものであるが、最近では、手押し車で買い物に出かけ、買い物の際に買い物カゴを座部の上に載置できるようにしたものがある。
【０００３】
このような態様のものとして、例えば特許文献１には、「座部と、メインフレームと、一端部が前記メインフレームに対して起倒自在に取り付けられた背もたれ部材とを有しており、前記背もたれ部材は、一方の面に形成された背もたれ面と、前記一方の面とは反対側の面に形成された載置物載置面とを有しており、前記背もたれ部材を起こした状態で前記背もたれ面が使用可能となり、前記座部側に前記背もたれ部材を倒した状態で前記載置物載置面が使用可能となる載置物載置機構」を備えた手押し車が提案されている。
【先行技術文献】
【特許文献】
【０００４】
【特許文献１】特開２０１６−１１０４５号公報
【発明の概要】
【発明が解決しようとする課題】
【０００５】
特許文献１の載置機構は、背もたれ部材を倒した状態で、背もたれ部材の背面側を買い物カゴの載置面として利用するというものである。そして、載置面には買い物カゴがずれないようにするために、買い物カゴの底面に係止する載置物係止部を設けている。より具体的には、載置物係止部を後方フレーム側に付勢する付勢部材を設け、買い物カゴの底部を前方から後方フレームに押し付けることで、載置した買い物カゴを安定させるようにしている。
【０００６】
しかしながら、載置物係止部の位置が、ハンドルが設けられている縦フレームから離れた座部の前部となるため、買い物カゴを安定させるために載置物係止部を操作するのに、手押し車の前側に回って操作しなければならず、操作性が悪いという問題がある。
また、載置物係止部が係止する位置が買い物カゴの底面部であることから、買い物カゴに例えば背の高いビール瓶のように重心が高い物を入れた場合には安定性に欠けるという問題もある。
【０００７】
本発明はかかる課題を解決するためになされたものであり、カゴを保持するための操作性に優れると共にカゴを安定的に保持できる手押し車を提供することを目的としている。
【課題を解決するための手段】
【０００８】
（１）本発明に係る手押し車は、左右一対の支持柱と、カゴを載置するカゴ載置部を備えたものであって、前記左右の支持柱に亘るように設けられた横棒部材を有し、該横棒部材に前記カゴ載置部に載置された前記カゴの周壁上縁部に係脱可能に係止して、前記カゴの動きを規制するカゴ係止部材を備えたことを特徴とするものである。
【０００９】
（２）また、上記（１）に記載のものにおいて、前記カゴ係止部材は、前記横棒部材に、該横棒部材の軸回りに回動可能、または前記横棒部材に沿う方向に揺動可能に設けられ、回動又は揺動によって係脱可能になっていることを特徴とするものである。
【００１０】
（３）また、上記（１）に記載のものにおいて、前記カゴ係止部材は、前記横棒部材に、該横棒部材の軸回りに回動可能に設けられ、回動角度を所定の角度に保持できる角度保持機構を備えていることを特徴とするものである。
【００１１】
（４）また、上記（３）に記載のものにおいて、
前記角度保持機構は、
一端側に凹凸歯が形成された一対の円筒状の部材からなり、前記凹凸歯が対向するように所定の隙間を離して前記横棒部材に巻き付くように設けられた円筒係止部材と、外側面に前記凹凸歯に係止する係止爪が形成された二股部を有し、該二股部が内方に弾性的に撓むことができ、前記円筒係止部材の隙間に二股部が挿入されるように配設された二股係止部材と、該二股係止部材の二股の間に出入り可能な挿入片部を有する固定レバーとを備えたことを特徴とするものである。
【００１２】
（５）また、上記（１）乃至（４）のいずれかに記載のものにおいて、前記カゴ係止部材は、前記カゴに係止する係止部と、係止操作をする操作部とを有し、該操作部が背もたれとして機能する平面部を有することを特徴とするものである。
【発明の効果】
【００１３】
本発明に係る手押し車は、左右一対の支持柱と、カゴを載置するカゴ載置部を備えたものであって、前記左右の支持柱に亘るように設けられた横棒部材を有し、該横棒部材に前記カゴ載置部に載置された前記カゴの周壁上縁部に係脱可能に係止して、前記カゴの動きを規制するカゴ係止部材を備えたことにより、カゴを保持するための操作性に優れると共にカゴを安定的に保持することができる。
【図面の簡単な説明】
【００１４】
【図１】本発明の実施の形態１にかかる手押し車の着座可能状態の正面側から見た斜視図である。
【図２】本発明の実施の形態１にかかる手押し車の折り畳み状態の正面側から見た斜視図である。
【図３】本発明の実施の形態１にかかる手押し車の走行可能状態の正面側から見た斜視図である。
【図４】図１に示した手押し車の背面側から見た斜視図である。
【図５】本発明の実施の形態１にかかる手押し車に買い物カゴを載置した状態の斜視図である。
【図６】本発明の実施の形態２にかかる手押し車に買い物カゴを載置した状態の斜視図である。
【図７】実施の形態２にかかるカゴ係止部材の背面側から見た分解斜視図である。
【図８】実施の形態２にかかるカゴ係止部材の正面側から見た分解斜視図である。
【図９】実施の形態２にかかるカゴ係止部材の要部の説明図である。
【図１０】実施の形態２にかかるカゴ係止部材の操作方法の説明図である。
【発明を実施するための形態】
【００１５】
［実施の形態１］
本実施の形態に係る手押し車を図１〜図５に基づいて説明する。
なお、本実施の形態に係る手押し車は、図１に示す着座可能状態、図２に示す折り畳み状態、図３に示す走行可能状態の３つの状態に切り替えることができるものであり、図４は着座可能状態の背面側の斜視図である。
【００１６】
本実施の形態に係る手押し車１は、図１〜図４に示すように、下端部に前輪３が取り付けられた左右一対の前脚５と、下端部に後輪７が取り付けられた左右一対の後脚９と、後脚９に連続して設けられた左右一対の支持柱１１と、着座姿勢と起立姿勢との間で姿勢変更可能に取り付けられた腰掛部１３（本発明の「カゴ載置部」に相当する）と、腰掛部１３に載置された買い物カゴ５８（図５参照）に係止して買い物カゴ５８の動きを規制するカゴ係止部材１４と、腰掛部１３に設けられた収納バッグ支持部材１５に支持された収納バッグ１７と、前脚５と後脚９の前後の間隔を小さくすることで折り畳み可能とした折り畳み機構１９と、を備えた手押し車１である。
以下、各構成および各構成に付属する部品等について説明する。
＜前脚＞
前脚５は左右一対からなり、下端部に前輪３が設けられ、上端部が支持柱１１に上下方向に移動可能に設けられたブラケット２１に回動可能に連結されている。
前脚５は、図１に示すように、上端部から下方に延出する下凸で緩やかに湾曲する緩湾曲部５ａを有し、湾曲部の下端に連続して鉛直方向に向かって急激に湾曲する急湾曲部５ｂを有し、急湾曲部５ｂから連続して鉛直になった部位の下端に前輪３が取り付けられている。
【００１７】
前脚５における急湾曲部５ｂには、左右の前脚５を連結する前脚連結部材２３が設けられている。
前脚５における緩湾曲部５ａには、内側に向けて突出して腰掛部１３の下部を支持する回転自在の腰掛部支持ローラ２５が設けられている。
【００１８】
＜後脚＞
後脚９は左右一対からなり、下端部に後輪７が設けられ、上端部は支持柱１１に連続している。
左右一対の後脚９の一方には、傘の石突きを受ける受け部材２７が取り付けられている。傘は、その石突きを受け部材２７に乗せて、支持柱１１に設けた図示しない締結バンドで締結することで支持柱１１に保持することができる。
【００１９】
＜支持柱＞
支持柱１１は、まっすぐな左右一対の棒状体からなり、その上端部にはハンドル２９が設けられている。また、支持柱１１の上端部でハンドル２９の少し下方には、後輪７にブレーキをかけるためのブレーキ棒３１が左右の支持柱１１に亘るように設けられている。ブレーキ棒３１には、図示しないワイヤが連結され、ワイヤの先端には後輪７に設けられたブレーキ機構に連結されている。ブレーキ棒３１をハンドル２９に近づく方向に操作することで、ブレーキがかかる仕組みになっている。
また、ブレーキ棒３１の下方には、左右の支持柱１１に亘るように第１横棒部材３２（本発明の横棒部材に相当）が設けられており、第１横棒部材３２にカゴ係止部材１４が取り付けられている。
さらに、片方の支持柱１１（図４の図中右側の支持柱１１）には、後述するフック３７が係止する係止突起３５が設けられている（図４参照）。
【００２０】
支持柱１１の下部には、前述したように、上下動可能な左右一対のブラケット２１が取り付けられている。ブラケット２１は、支持柱１１が挿入されている筒状部２１ａと筒状部２１ａから前方に張り出すように形成された張り出し部２１ｂとを備えている。張り出し部２１ｂには、前述したように前脚５の上端部が回動可能に取り付けられている。
片側のブラケット２１（図４の図中右側の支持柱１１に設けられたブラケット２１）には、係止突起３５に係止させるためのフック３７が設けられている。フック３７を係止突起３５に係止することで、ブラケット２１が下方に移動するのを規制することができ、後述するように折り畳み状態を維持することができる。
【００２１】
支持柱１１における、図１、図４においてブラケット２１が位置している部位には、図４に示すように、常時は出状態に付勢された出没可能な突起３９が設けられている。突起３９は、常時は出方向に付勢されており、押すことで没状態にできるようになっている。ブラケット２１における筒状部２１ａには、突起３９が挿入して係止する係止穴（図示なし）が設けられており、突起３９が係止穴に係止することで、ブラケット２１の位置が固定される。
【００２２】
ブラケット２１には、左右のブラケット２１に亘るように第２横棒部材４１が取り付けられており、第２横棒部材４１の中央部には操作部４３が設けられている。操作部４３は操作ハンドル４５を有し、操作ハンドル４５を後方側に引き上げることで（図４の黒矢印参照）、第２横棒部材４１内の操作機構（図示なし）を介して突起３９を没入させて突起３９とブラケット２１の係止穴との係止を外すことができ、ブラケット２１を支持柱１１に沿って移動可能な状態にすることができる。
【００２３】
＜腰掛部＞
腰掛部１３は、略Ｕ字状の座フレーム４７と、座フレーム４７の上に設置された座板部４９とを有している。座フレーム４７の後端部が、支持柱１１に取り付けられた支持機構５１によって、着座姿勢と起立姿勢との間で姿勢変更可能に取り付けられ、座フレーム４７の下部が前脚５に取り付けられた腰掛部支持ローラ２５によって支持されている。
支持機構５１は後述する折り畳み機構１９の一要素であるがここで概説する。支持機構５１は、後端側が支持柱１１に固定され、前端側が前方に延出する第１支持部材５１ａと、後端側が第１支持部材５１ａの前端に上下方向に回動可能に取り付けられ、前端側に座フレーム４７の後端が固定された第２支持部材５１ｂによって構成されている。
第２支持部材５１ｂの先端が鉛直下方に向く状態で、腰掛部１３が着座姿勢となるように、腰掛部１３の座フレーム４７が第２支持部材５１ｂに取り付けられている。したがって、腰掛部１３の座フレーム４７の回動軸は第２支持部材５１ｂの回動軸になり、腰掛部１３が着座姿勢では座フレーム４７の位置と座フレーム４７の回動軸の位置が上下にずれた状態になっている。座フレーム４７の位置と座フレーム４７の回動軸の位置がずれることの意義については、後述する。
【００２４】
腰掛部１３の下方には、収納バッグ１７を支持する収納バッグ支持部材１５が設けられている。収納バッグ支持部材１５は、略L字状の部材からなり、L字の一辺の端部が腰掛部１３の座フレーム４７に回転可能に取り付けられ、L字の他辺の端部が第２支持部材５１ｂに固定されている。
L字の辺の交差部の内側には、収納バッグ１７の両側面に設けられた突起（図示なし）に係合して、収納バッグ１７を吊り下げ状態で着脱可能に支持するバッグ支持部（図示なし）が設けられている。
【００２５】
座フレーム４７の後端には、左右の座フレーム４７に亘るように、バッグ姿勢保持部材としての横棒５５が取り付けられている。この横棒５５は、折り畳み状態において、収納バッグ１７の背面に当接して収納バッグ１７の姿勢を保持する機能を有している。
【００２６】
＜カゴ係止部材＞
カゴ係止部材１４は、図１に示すように、左右の支持柱に亘るように設けられた第１横棒部材３２に回動可能に取り付けられ、腰掛部１３に載置された買い物カゴ５８の側壁上縁部に係止して買い物カゴ５８の動きを規制するものである（図５参照）。
カゴ係止部材１４は、図１の矢印で示す方向に回動可能になっており、図１の直立状態から略水平状態にすることができ、水平状態で下面両端には、係止片部１４ａが設けられている。カゴ係止部材１４は、略水平状態で、図５に示すように、係止片部１４ａが買い物カゴ５８の側壁上縁部に係止する。また、カゴ係止部材１４は、図１に示す直立状態になるように図示しない付勢手段で付勢されているので、図５に示すように買い物カゴ５８に係止した状態では、直立状態になろうとする力が作用しており、この力が買い物カゴ５８を下方に押し付ける作用となり、買い物カゴ５８を安定させる。
【００２７】
カゴ係止部材１４は、常時は図１に示すように、直立状態で平面部が前方を向くようになっているので、背もたれとしても機能する。
【００２８】
＜収納バッグ＞
収納バッグ１７は、矩形箱状をしており、従来のものより容量の大きい大型のバッグである。もっとも、収納バッグ１７は、図１に示すように、前脚５と後脚９が開いた状態では、前脚５と後脚９との間に挿入可能な大きさである。図２に示すように、折りたたんだ状態では、前脚５と後脚９とが近づくため前脚５と後脚９との間のスペースは狭くなるが、収納バッグ１７はこのスペースからはみ出す程度の大きさを有している。
【００２９】
収納バッグ１７は、前述したように、収納バッグ支持部材１５のバッグ支持部に吊り下げ状態で支持されるため、その背面には、姿勢を保持するための逆Ｕ字部材５９が設けられている。逆Ｕ字部材５９は、図４に示すように、収納バッグ１７が下方に位置している状態において、収納バッグ１７の背面に当接して収納バッグ１７を略鉛直姿勢に保持する機能を有している。
【００３０】
＜折り畳み機構＞
折り畳み機構１９は、手押し車１を走行可能な状態と折り畳み状態とに切り替えるための機構である。折り畳み機構１９は、後端が後脚９の下部に回転可能に取り付けられ、前端が前脚５の緩湾曲部５ａに回転可能に取り付けられた一対の斜材フレーム６１と、前脚５と斜材フレーム６１間に設けられたリンク機構６３を備えて構成されている。リンク機構６３は、後端が斜材フレーム６１に回転可能に取り付けられた後側リンク６３ａと、前端が前脚５に回転可能に取り付けられた前側リンク６３ｂとを備え、前側リンク６３ｂの後端と後側リンク６３ａの前端が回転可能に連結されている。
斜材フレーム６１には、収納バッグ１７の背面側を支持して姿勢を保持するバッグ姿勢保持部材としての逆Ｕ字部材５９が取り付けられている。
【００３１】
前側リンク６３ｂと前脚５との連結部、及び後側リンク６３ａと斜材フレーム６１との連結部には、図１の一部拡大図に示すように、ねじりバネ６５が取り付けられている。ねじりバネ６５によって、前側リンク６３ｂと前脚５及び後側リンク６３ａと斜材フレーム６１との間には折り畳む方向、すなわち図１の角度α（前側リンク６３ｂと前脚５の成す角度）、β（斜材フレーム６１と後側リンク６３ａの成す角度）を大きくする方向への付勢力が作用している。
この付勢力は、前脚５の上端を支持柱１１に沿って上方に移動する力となるが、前脚５の上端がブラケット２１によって移動規制されていることで開放状態が維持されている。
操作部４３を操作することで、ブラケット２１が支持柱１１を上方に移動可能になると、折り畳みが可能となる。
【００３２】
以上のように構成された本実施の形態の手押し車１の作用について説明する。
まず、図１、図４に示す着座可能状態から手押し車１を折りたたむ場合、第２横棒部材４１に設けられている操作部４３の操作ハンドル４５を、図４の矢印で示すように、後方斜め上方に向かって引き上げる。これによって、支持柱１１の突起３９とブラケット２１との係止が外れて、ブラケット２１が支持柱１１に沿って上方に移動可能になる。
【００３３】
この状態では、折り畳み機構１９の作用によって、ブラケット２１が支柱に沿って上方に移動すると共に前脚５が後脚９に近づく方向に移動する。ブラケット２１には前脚５の上端部が連結されているので、ブラケット２１が上方に移動すると前脚５の上端が上方に移動すると共に前脚５の緩湾曲部５ａに取り付けられた腰掛部支持ローラ２５の位置が後方かつ上方に移動する。腰掛部支持ローラ２５は、腰掛部１３の座フレーム４７の下部を支持しているので、腰掛部支持ローラ２５が上動することで、腰掛部１３は、座フレーム４７後端側の第２支持部材５１ｂの回動軸を回転中心として、図１の矢印で示すように、起立姿勢になる方向に回動する。
【００３４】
腰掛部１３を起立姿勢にする作用力は、腰掛部支持ローラ２５から座フレーム４７に与えられるものであり、その作用点は腰掛部支持ローラ２５が座フレーム４７と当接する位置である。作用点と座フレーム４７の回動軸の位置が近いと大きな作用力が必要となるが、本実施の形態では、座フレーム４７の回動軸を第２支持部材５１ｂの回動軸とすることで、作用点と回動軸の位置を上下にずらしており、これによって両者間の距離を離すことで作用力を小さくし、円滑な折り畳み動作を実現している。
【００３５】
ブラケット２１が支持柱１１に沿って所定の位置まで上動すると、図２に示すように、腰掛部１３が起立姿勢になり、この状態で、係止突起３５にフック３７を係止させることでブラケット２１が下方に移動するのを規制して、折り畳み状態を維持することができる。
【００３６】
腰掛部１３には、略L字形状の収納バッグ支持部材１５が設けられており、腰掛部１３の起立動作に連動して、収納バッグ支持部材１５のバッグ支持部が前方かつ斜め上方に移動する。収納バッグ１７はバッグ支持部に吊下げ支持されているので、収納バッグ１７は、腰掛部１３の起立動作に連動して、図１、図４に示す状態から、前方かつ斜め上方に移動して、図２に示す状態になる。
【００３７】
図２に示す状態から、図３に示す走行可能状態にするには、フック３７を係止突起３５から外し、操作部４３を支持柱１１に沿って下方に押し下げるようにすることで、ブラケット２１が支持柱１１に沿って下方に移動し、前脚５の下部が前方に移動する。このとき、腰掛部１３は起立姿勢を維持しており、収納バッグ１７の位置も変わらない。
【００３８】
図３の状態から、図１、図４に示す着座可能状態にするには、腰掛部１３の座板部４９の前側を、図３の矢印で示す方向に押し下げるようにすることで、腰掛部１３を起立姿勢から着座姿勢にすることができる。腰掛部１３が起立姿勢から着座姿勢に変わることに連動して、収納バッグ１７が後方かつ斜め下方に移動して、図１、図４の状態になる。
【００３９】
着座可能状態では、図５に示すように、腰掛部１３に買い物カゴ５８を載置して、カゴ係止部材１４を回動させて略直立状態から略水平状態にして、カゴ係止部材１４の係止片部１４ａによって買い物カゴ５８の側壁上縁部を押さえるようにする。これにより、買い物カゴ５８を安定的に載置することができる。
【００４０】
以上のように、本実施の形態の手押し車１においては、走行状態では腰掛部１３を着座可能状態にすることで、腰掛部１３に買い物カゴ５８を載置することができる。そして、腰掛部１３に買い物カゴ５８を載置した状態で、カゴ係止部材１４を略水平状態に回動させて買い物カゴ５８の側壁上縁部に係止させることで、買い物カゴ５８を安定的に保持することができる。
このような一連の動作は、手押し車１を押す者が、手押し車１を押す位置、すなわち支持柱１１の後方側から全て操作可能であり、操作性に優れている。
また、カゴ係止部材１４は、買い物カゴ５８の側壁上縁部に係止するので、買い物カゴ５８の底部において係止する従来例に比較して、買い物カゴ５８をより安定してその動きを規制することができる。
【００４１】
［実施の形態２］
本実施の形態に係る手押し車６６は、基本構造は実施の形態１と同様であるが、カゴ係止部材の構造のみが異なっている。そこで、以下においては、カゴ係止部材について、図６〜図１０に基づいて説明する。
【００４２】
本実施の形態に係る手押し車６６のカゴ係止部材６７は、略半月状の操作板６９と、操作板６９の下面側にネジ７１によって固定された半円筒部材７３と、一端が半円筒部材７３に固定されて、他端側が二股になって、二股の外側面に係止爪７５ａが形成された二股係止部材７５と、半円筒部材７３に揺動可能に取り付けられて、二股係止部材７５の回動位置を固定する固定レバー７７と、固定レバー７７を常時、固定方向に付勢するＶ字バネ７９と、第１横棒部材３２に巻き付くように取り付けられ、二股係止部材７５の係止爪７５ａが係止する凹凸歯８１ａが形成された一対の円筒係止部材８１とを備えて構成されている。
二股係止部材７５、固定レバー７７、Ｖ字バネ７９、円筒係止部材８１は、本発明の角度保持機構の一態様である。
【００４３】
操作板６９は、図６に示すように、水平状態で前方に延出した延出部６９ａの先端に係止片部６９ｂが設けられている。これによって、買い物カゴ５８を腰掛部１３の前方にずらして載置することができ、買い物カゴ５８と第２横棒部材４１に設けられた操作部４３との干渉を避けることができる。
操作板６９にはネジ７１によって半円筒部材７３が固定され、半円筒部材７３と操作板６９との隙間が軸穴になっており、この軸穴に第１横棒部材３２が挿通されている。これによって、操作板６９は、第１横棒部材３２回りに回動可能になっている。
【００４４】
二股係止部材７５の二股は内方、すなわち股の間の隙間が縮まる方向（図９の矢印参照）へ弾性的に撓むことができるようになっている。
また、一対の円筒係止部材８１は、所定の隙間を介して凹凸歯８１ａが対向するように第１横棒部材３２の軸回りに取り付けられている。そして、この隙間に二股係止部材７５の先端側が挿入されて、係止爪７５ａが円筒係止部材８１の凹凸歯８１ａにかみ合うようになっている。
なお、凹凸歯８１ａの歯の形状は、図９に示すように、先端が尖ったものでもよいが、特に限定されず、先端にアールが形成されたものや、先端に平坦部があるようなものでもよい。
【００４５】
操作板６９は、第１横棒部材３２の軸回りを回動し、操作板６９に固定された半円筒部材７３に二股係止部材７５が取り付けられていることで、操作板６９を回動させると、二股係止部材７５の係止爪７５ａが凹凸歯８１ａを乗り越えて、いずれの方向へも回動可能になっている。
固定レバー７７には、図９に示すように、二股係止部材７５の股の隙間に挿入可能な挿入片部７７ａが形成されており、挿入片部７７ａが二股係止部材７５の股の隙間に挿入されると、二股が内側に撓むことができず、係止爪７５ａが凹凸歯８１ａを乗り越えることができなくなる。係止爪７５ａが凹凸歯８１ａを乗り越えられないことで、操作板６９は回動することができず、その位置が固定位置となる。
【００４６】
上記のように構成された本実施の形態におけるカゴ係止部材６７の操作方法を、図１０に基づいて説明する。
図１０（ａ）に示す操作板６９が直立した状態から、図１０（ｂ）に示すように、固定レバー７７をつまむことで、挿入片部７７ａが二股係止部材７５の二股の隙間から抜け出して、二股が内方に撓むことができる状態になる。固定レバー７７をつまんだ状態で、図１０（ｃ）に示すように、操作板６９を回動して水平状態にする。この状態で、図６に示すように、買い物カゴ５８の側壁上縁部を係止片部６９ｂの内側に入れて、固定レバー７７から手を離す。固定レバー７７から手を離すと、挿入片部７７ａが二股の間に挿入されて、二股が撓むことができなくなるので、操作板６９が回動できなくなり、水平状態を維持することができる。
【００４７】
以上のように、本実施の形態においては、操作板６９を所望の回動位置で固定することができ、買い物カゴ５８を最も安定的に保持できる位置で操作板６９を固定できる。
【００４８】
なお、上記の実施の形態では、腰掛部１３が買い物カゴ５８を載置するカゴ載置部を兼用する場合であったが、本発明のカゴ載置部は必ずしも腰掛部１３と兼用する必要はなく、買い物カゴ等のカゴを載置できるものであればよい。
また、上記の実施の形態では、カゴの例として買い物カゴを例に挙げたが、本発明のカゴは必ずしも買い物カゴである必要はなく、底部と周壁部があるカゴであればよい。
【００４９】
さらに、上記の実施の形態では、カゴ係止部材１４、６７を第１横棒部材３２の軸回りに回動することで買い物カゴ５８を係脱可能としている場合であったが、本発明のカゴ係止部材１４、６７は、第１横棒部材３２の前部側において第１横棒部材３２と平行な方向、換言すれば第１横棒部材３２の軸に沿う方向に揺動（スイング）することで係脱可能となるように設けてもよい。
【符号の説明】
【００５０】
１  手押し車
３  前輪
５  前脚
５ａ  緩湾曲部
５ｂ  急湾曲部
７  後輪
９  後脚
１１  支持柱
１３  腰掛部（カゴ載置部）
１４  カゴ係止部材（実施の形態１）
１４ａ  係止片部
１５  収納バッグ支持部材
１７  収納バッグ
１９  折り畳み機構
２１  ブラケット
２１ａ  筒状部
２１ｂ  張り出し部
２３  前脚連結部材
２５  腰掛部支持ローラ
２７  受け部材
２９  ハンドル
３１  ブレーキ棒
３２  第１横棒部材
３５  係止突起
３７  フック
３９  突起
４１  第２横棒部材
４３  操作部
４５  操作ハンドル
４７  座フレーム
４９  座板部
５１  支持機構
５１ａ  第１支持部材
５１ｂ  第２支持部材
５５  横棒
５８  買い物カゴ
５９  逆Ｕ字部材
６１  斜材フレーム
６３  リンク機構
６３ａ  後側リンク
６３ｂ  前側リンク
６５  ねじりバネ
６６  手押し車（実施の形態２）
６７  カゴ係止部材（実施の形態２）
６９  操作板
６９ａ  延出部
６９ｂ  係止片部
７１  ネジ
７３  半円筒部材
７５  二股係止部材
７５ａ  係止爪
７７  固定レバー
７７ａ  挿入片部
７９  Ｖ字バネ
８１  円筒係止部材
８１ａ  凹凸歯
【図１】
2020006898.tif 000003
【図２】
2020006898.tif 000004
【図３】
2020006898.tif 000005
【図４】
2020006898.tif 000006
【図５】
2020006898.tif 000007
【図６】
2020006898.tif 000008
【図７】
2020006898.tif 000009
【図８】
2020006898.tif 000010
【図９】
2020006898.tif 000011
【図１０】
2020006898.tif 000012